(57)【要約】【課題】入力元の異なる画像情報に基づいて印刷された印刷用紙を混在させたくないという要望に応える。【解決手段】複数の異なる入力元から入力元に応じた形式の画像情報を入力し、入力された画像情報に基づいた印刷を行なう印刷装置であって、印刷済の印刷用紙を積載する複数の排紙台と、排紙台の優先順位を画像情報の入力元毎に記憶した排紙台優先情報記憶部と、いずれかの入力元から画像情報を入力した際に、特定の排紙台が指定されていない場合は、排紙台優先情報記憶部を参照して、画像情報の入力元について最も優先順位の高い排紙台を排紙に使用する排紙台として設定する排紙制御部と、排紙に使用する排紙台として設定された排紙台に印刷済の印刷用紙を排紙する搬送制御部とを備える。【選択図】  図２
2009290551.tif 000002
【特許請求の範囲】
【請求項１】
複数の異なる入力元から入力元に応じた形式の画像情報を入力し、前記入力された画像情報に基づいた印刷を行なう印刷装置であって、
印刷済の印刷用紙を積載する複数の排紙台と、
排紙台の優先順位を画像情報の入力元毎に記憶した排紙台優先情報記憶部と、
いずれかの入力元から画像情報を入力した際に、特定の排紙台が指定されていない場合は、前記排紙台優先情報記憶部を参照して、前記画像情報の入力元について最も優先順位の高い排紙台を排紙に使用する排紙台として設定する排紙制御部と、
前記排紙に使用する排紙台として設定された排紙台に印刷済の印刷用紙を排紙する搬送制御部とを備えることを特徴とする印刷装置。
【請求項２】
請求項１に記載の印刷装置であって、
前記複数の排紙台に対応して、積載された印刷用紙がその排紙台の最大積載量に応じた所定量に達したことを検出する排紙量検出手段が備えられており、
印刷中に、前記排紙に使用する排紙台として設定された排紙台に対応した前記排紙量検出手段が、前記排紙台に積載された印刷用紙が所定量に達したことを検出すると、
前記排紙制御部は、前記排紙台優先情報記憶部を参照して、前記画像情報の入力元について、対応する排紙量検出手段が積載された印刷用紙が所定量に達したことを検出していない排紙台の中で最も優先順位の高い排紙台を連続して使用する排紙台として設定し、
前記搬送制御部は、前記設定された連続して使用する排紙台に引き続き印刷済の印刷用紙を排紙することを特徴とする印刷装置。
【請求項３】
請求項１に記載の印刷装置であって、
前記排紙台優先情報記憶部が記憶した入力元毎の排紙台の優先順位は、あらかじめ初期値が設定されていることを特徴とする印刷装置。
【請求項４】
請求項３に記載の印刷装置であって、
前記あらかじめ初期値が設定されている入力元毎の排紙台の優先順位は、ユーザが変更可能であることを特徴とする印刷装置。
【請求項５】
請求項３に記載の印刷装置であって、
複数の異なる画像情報の入力元は、印刷制御装置、画像読取装置、画像受信装置のいずれかを含み、
前記排紙台優先情報記憶部にあらかじめ設定された入力元毎の排紙台の優先順位の初期値は、
印刷制御装置については、最大積載量が最も多い排紙台の優先順位が最も高く、
画像読取装置については、最大積載量が最も多い排紙台の優先順位が最も高く、
画像受信装置については、最大積載量が最も少ない排紙台の優先順位が最も高いことを特徴とする印刷装置。
【請求項６】
印刷条件の設定を行なうプリンタドライバ部を備えたコンピュータと、
前記コンピュータを含む複数の異なる入力元から入力元に応じた形式の画像情報を入力し、前記入力された画像情報に基づいた印刷を行なう印刷装置とを含んだ印刷システムであって、
前記コンピュータのプリンタドライバ部は、特定の排紙台を指定しない印刷条件を設定可能であり、
前記印刷装置は、
印刷済の印刷用紙を積載する複数の排紙台と、
排紙台の優先順位を画像情報の入力元毎に記憶した排紙台優先情報記憶部と、
いずれかの入力元から画像情報を入力した際に、特定の排紙台が指定されていない場合は、前記排紙台優先情報記憶部を参照して、前記画像情報の入力元について最も優先順位の高い排紙台を排紙に使用する排紙台として設定する排紙制御部と、
前記使用排紙台として設定された排紙台に印刷済の印刷用紙を排紙する搬送制御部とを備えることを特徴とする印刷システム。
【発明の詳細な説明】
【技術分野】
【０００１】
複数の排紙台を備え、複数の異なる入力元から入力元に応じた形式の画像情報を入力し、入力された画像情報に基づいた印刷を行なう印刷装置およびこのような印刷装置を含む印刷システムに関する。
【背景技術】
【０００２】
複数の排紙台を備えた印刷装置が広く用いられている。例えば、特許文献１に記載されているように、複数の排紙台を備えた印刷装置では、排紙中の排紙台が満杯になると、自動的に空いている排紙台を印刷装置が検知して排紙先を変更することで印刷動作を継続することが行なわれている。
【特許文献１】特開２００７−０３９２３６号公報
【発明の開示】
【発明が解決しようとする課題】
【０００３】
近年、印刷装置は多機能化が進み、接続されたコンピュータから送られた印刷データに基づく印刷を行なうプリンタ機能に加え、画像読取装置で画像を読み取って印刷を行なうコピー機能、ファクシミリ受信装置でファクシミリデータを受信して印刷を行なうファクシミリ機能等を備えた多機能印刷装置が普及してきている。ここで、プリンタ機能を用いた印刷では、コンピュータが画像情報の入力元となり、コピー機能を用いた印刷では、画像読取装置が画像情報の入力元となり、ファクシミリ機能を用いた印刷では、ファクシミリ受信装置が画像情報の入力元となる。
【０００４】
プリンタ機能、コピー機能、ファクシミリ機能はそれぞれ印刷内容の性質が異なるため、印刷結果を混在させたくないという要求がある。例えば、ファクシミリ機能による印刷は、ユーザの操作とは無関係に印刷が行なわれることから、ユーザの操作により印刷が行なわれるプリンタ機能、コピー機能を用いた印刷結果に紛れると行方が分からなくなるおそれがある。このため、印刷結果の混在は避けることが望ましいからである。また、ファクシミリ機能による印刷は印刷枚数が少ないことが多く、印刷枚数が多いことが多いプリンタ機能、コピー機能による印刷結果と混在させたくないという理由もある。この要望は、複数の排紙台を備えた印刷装置における印刷開始時の排紙台設定のみならず、排紙台が満杯になった後の排紙先の変更時にも当てはまる。
【０００５】
本発明は、このような状況を鑑みてなされたものであり、複数の異なる入力元から入力元に応じた形式の画像情報を入力し、入力された画像情報に基づいた印刷を行なう印刷装置において、入力元の異なる画像情報に基づいて印刷された印刷用紙を混在させたくないという要望に応える印刷装置および印刷システムを提供することを目的とする。
【課題を解決するための手段】
【０００６】
上記課題を解決するため、本発明による印刷装置は、複数の異なる入力元から入力元に応じた形式の画像情報を入力し、前記入力された画像情報に基づいた印刷を行なう印刷装置であって、印刷済の印刷用紙を積載する複数の排紙台と、排紙台の優先順位を画像情報の入力元毎に記憶した排紙台優先情報記憶部と、いずれかの入力元から画像情報を入力した際に、特定の排紙台が指定されていない場合は、前記排紙台優先情報記憶部を参照して、前記画像情報の入力元について最も優先順位の高い排紙台を排紙に使用する排紙台として設定する排紙制御部と、前記排紙に使用する排紙台として設定された排紙台に印刷済の印刷用紙を排紙する搬送制御部とを備えることを特徴とする。
【０００７】
本発明の印刷装置によれば、排紙制御部が、排紙台の優先順位を画像情報の入力元毎に記憶した排紙台優先情報記憶部を参照し、入力元に応じて排紙に使用する排紙台を設定するため、入力元の異なる画像情報に基づいて印刷された印刷用紙を混在させたくないという要望に応えることができる。
【０００８】
また、前記複数の排紙台に対応して、積載された印刷用紙がその排紙台の最大積載量に応じた所定量に達したことを検出する排紙量検出手段が備えられており、印刷中に、前記排紙に使用する排紙台として設定された排紙台に対応した前記排紙量検出手段が、前記排紙台に積載された印刷用紙が所定量に達したことを検出すると、前記排紙制御部は、前記排紙台優先情報記憶部を参照して、前記画像情報の入力元について、対応する排紙量検出手段が積載された印刷用紙が所定量に達したことを検出していない排紙台の中で最も優先順位の高い排紙台を連続して使用する排紙台として設定し、前記搬送制御部は、前記設定された連続して使用する排紙台に引き続き印刷済の印刷用紙を排紙することが望ましい。
【０００９】
印刷途中に排紙台を変更する場合にも、排紙制御部が、排紙台の優先順位を画像情報の入力元毎に記憶した排紙台優先情報記憶部を参照し、入力元に応じて排紙に使用する排紙台を設定するため、入力元の異なる画像情報に基づいて印刷された印刷用紙を混在させたくないという要望に応えることができる。
【００１０】
ここで、前記排紙台優先情報記憶部が記憶した入力元毎の排紙台の優先順位は、あらかじめ初期値が設定されているようにすることができる。この場合、複数の異なる画像情報の入力元は、印刷制御装置、画像読取装置、画像受信装置のいずれかを含み、前記排紙台優先情報記憶部にあらかじめ設定された入力元毎の排紙台の優先順位の初期値は、印刷制御装置については、最大積載量が最も多い排紙台の優先順位が最も高く、画像読取装置については、最大積載量が最も多い排紙台の優先順位が最も高く、画像受信装置については、最大積載量が最も少ない排紙台の優先順位が最も高くすることができる。
【００１１】
一般に、入力元が印刷制御装置、画像読取装置の場合は、印刷枚数が多く、入力元が画像受信装置の場合は印刷枚数が少ないと想定される。優先順位の初期値を印刷制御装置については、最大積載量が最も多い排紙台の優先順位が最も高く、画像読取装置については、最大積載量が最も多い排紙台の優先順位が最も高く、画像受信装置については、最大積載量が最も少ない排紙台の優先順位が最も高くすることで、大量の印刷結果は最大積載量の多い排紙台に排紙し、少量の印刷結果を最大積載量の少ない排紙台に排紙することで印刷用紙の混在を効果的に避けることができる。また、前記あらかじめ初期値が設定されている入力元毎の排紙台の優先順位は、ユーザが変更可能であることが望ましい。
【００１２】
上記課題を解決するため、本発明による印刷システムは、印刷条件の設定を行なうプリンタドライバ部を備えたコンピュータと、前記コンピュータを含む複数の異なる入力元から入力元に応じた形式の画像情報を入力し、前記入力された画像情報に基づいた印刷を行なう印刷装置とを含んだ印刷システムであって、前記コンピュータのプリンタドライバ部は、特定の排紙台を指定しない印刷条件を設定可能であり、前記印刷装置は、印刷済の印刷用紙を積載する複数の排紙台と、排紙台の優先順位を画像情報の入力元毎に記憶した排紙台優先情報記憶部と、いずれかの入力元から画像情報を入力した際に、特定の排紙台が指定されていない場合は、前記排紙台優先情報記憶部を参照して、前記画像情報の入力元について最も優先順位の高い排紙台を排紙に使用する排紙台として設定する排紙制御部と、前記使用排紙台として設定された排紙台に印刷済の印刷用紙を排紙する搬送制御部とを備えることを特徴とする。
【発明の効果】
【００１３】
本発明によれば、複数の異なる入力元から入力元に応じた形式の画像情報を入力し、入力された画像情報に基づいた印刷を行なう印刷装置において、入力元の異なる画像情報に基づいて印刷された印刷用紙を混在させたくないという要望に応える印刷装置および印刷システムが提供される。
【発明を実施するための最良の形態】
【００１４】
本発明の実施の形態について図面を参照して説明する。図１は、本発明に係る印刷装置１０を含む印刷システムの構成の一例を示すブロック図である。本図に示すように印刷システムは印刷装置１０とパーソナルコンピュータ（ＰＣ）２０とが接続されて構成される。印刷装置１０とＰＣ２０との接続形態は、代表的には、複数台のＰＣが印刷装置１０を共用するＬＡＮ（Local Area Network）接続とすることができるが、印刷装置１０とパーソナルコンピュータ（ＰＣ）２０とが１対１で接続されたローカル接続であってもよい。
【００１５】
印刷装置１０は、複数の給紙台を備えており、また、ＰＣ２０から送られた印刷データに基づく印刷を行なうプリンタ機能に加えて、原稿台に置かれた原稿の画像を読み取って複写を行なうコピー機能、電話回線を介して画像伝送を行なうファクシミリ機能を備えている。このため、印刷装置１０は、公衆回線網等の電話回線に接続されている。
【００１６】
ＰＣ２０は、印刷装置１０に対応して開発されたプリンタドライバプログラムがインストールされており、このプログラムをＰＣ２０のＣＰＵが実行することにより、プリンタドライバ部２１０が形成される。これにより、ＰＣ２０は印刷制御装置として機能する。プリンタドライバ部２１０は、ユーザからの指示に基づいて、印刷対象となるドキュメント等の印刷データを生成して、印刷装置１０に出力する処理を行なう。この際に、プリンタドライバ部２１０は、印刷品質、印刷枚数、用紙サイズ、用紙種類等の印刷条件の設定を行なうことができ、本実施例では、特に、特定の排紙台を指定しない印刷条件を設定することが可能となっている。
【００１７】
図２は、本実施形態における印刷装置１０の機能構成を示すブロック図である。本図に示すように、印刷装置１０は、制御部１１０、通信処理部１２０、画像読取部１３０、画像受信部１４０、操作パネル部１５０、印刷実行部３１０、給紙部３２０、排紙部３３０、搬送駆動部３５０を備えている。
【００１８】
通信処理部１２０は、ＰＣ２０との通信を行なうために、接続形態に応じたプロトコル処理を行なう。例えば、ＬＡＮ接続の場合には、ＴＣＰ／ＩＰによる通信処理を行なう。また、通信処理部１２０は、画像情報の入力元の１つであるＰＣ２０から画像情報である印刷データを受信する。
【００１９】
画像読取部１３０は、画像情報の入力元の１つであり、原稿台、受光素子、光源、レンズ、走査機構等を備え、原稿台に置かれた原稿の画像データを読み取って電気信号に変換し、画像情報として制御部１１０に出力する処理を行なう。画像読取部１３０は、印刷装置１０内に設置してもよいし、印刷装置１０の外部に設置してもよい。
【００２０】
画像受信部１４０は、画像情報の入力元の１つであり、電話回線を介して所定の信号形式で送られてきた画像信号を画像データに変換し、画像情報として制御部１１０に出力する。操作パネル部１５０は、表示機能と入力機能とを有し、ユーザから設定を受け付けたり、印刷装置１０に関する情報を表示したりする。画像受信部１４０は、印刷装置１０内に設置してもよいし、印刷装置１０の外部に設置してもよい。
【００２１】
印刷実行部３１０は、画像形成媒体を用いて印刷用紙に画像形成を行なう機構であり、本実施形態では、印刷用紙を覆う幅を有する印字ヘッド３１２からインクをライン単位で吐出して印刷を実行するインクジェット方式の機構を採用している。ただし、画像形成媒体として、トナー等を用いる印字方式を採用してもよい。
【００２２】
印刷用紙を供給する給紙部３２０は、複数の給紙機構を備えている。本実施形態では、外部に露出した給紙台３２０ａと、架台式の第1給紙トレイ３２０ｂ、架台式の第２給紙トレイ３２０ｃ、架台式の第３給紙トレイ３２０ｄ、架台式の第４給紙トレイ３２０ｅとの５つの給紙機構が備えられている。それぞれの給紙機構には、複数枚の印刷用紙を重ねた状態でセットすることができる。印刷用紙には、Ａ４、Ｂ５等のサイズと、普通紙、インクジェット（ＩＪ）用紙等の用紙種類とが定められており、１つの給紙機構には、同じサイズで同じ用紙種類の印刷用紙をセットするようにする。各給紙機構には、給紙センサが備えられており、用紙切れを検出できるようになっている。
【００２３】
排出された印刷済の印刷用紙を積載する排紙部３３０は、複数の排紙台を備えている。本実施形態では、フェイスダウンで排紙され、最大積載量の少ない標準排紙トレイ３３０ａ、フェイスアップで排紙され、最大積載量が中程度の中量排紙トレイ３３０ｂ、フェイスアップで排紙され、最大積載量が多い大量排紙トレイ３３０ｃが備えられている。それぞれの排紙台には、排紙量センサ（図３参照）が設けられており、排紙量センサは、積載された印刷用紙が最大積載量付近の所定量に達したことを検出する。排紙量センサは、例えば、積載された印刷用紙の重量を検出したり、積み重なった高さを検出することで積載された印刷用紙が所定量に達したかどうかを判断することができる。あるいは、排紙した枚数をカウントすることで積載された印刷用紙が所定量に達したかどうかを判断することができる。
【００２４】
搬送駆動部３５０は、印刷用紙を搬送する駆動機構であり、モータ等を備えて構成される。また、印字ヘッド３１２に対向する位置には、印刷時に印刷用紙を所定の印刷搬送速度で搬送する印刷時搬送機構として機能する搬送ベルト３５２が設けられている。さらに、排紙に用いる排紙台に印刷用紙を導くために搬送路を切り替える切替機構（図３参照）が複数個設けられている。
【００２５】
制御部１１０は、ＣＰＵ、メモリ、画像処理装置等を備えて構成され、これらの装置が処理を行なうことで、操作パネル制御部１１１、排紙台設定記憶部１１２、給紙制御部１１３、排紙制御部１１４、搬送制御部１１５、画像処理部１１６、吐出処理部１１７が形成される。
【００２６】
操作パネル制御部１１１は、操作パネル部１５０に表示させる画面や操作パネル部１５０を介して入力されるユーザの操作を解釈する処理を行なう。特に、本実施形態では、画像情報の入力元毎の排紙台の優先順位に関する設定を受け付けるためのメニュー画面を表示して、ユーザから設定を受け付ける処理を行なう。
【００２７】
排紙台設定記憶部１１２は、例えば、不揮発性のメモリを用いて構成され、排紙台の優先順位を画像情報の入力元毎に不揮発的に記憶する排紙台優先情報記憶部として機能する。排紙台設定記憶部１１２が記憶する入力元毎の排紙台の優先順位は、製品出荷時においてあらかじめ初期値が設定されているが、後述するようにユーザが変更可能とすることができる。
【００２８】
このように、本実施形態では、画像情報の入力元毎、すなわち、プリンタ機能、コピー機能、ファクシミリ機能毎に排紙を行なう排紙台の優先順位が初期設定としてあらかじめ印刷装置１０の内部的に定められている。表1は、優先順位の初期設定の一例を示している。
【表１】
2009290551.tif 000003
表１の例では、ＰＣ２０から送られた印刷データに基づいてプリンタ機能により印刷を行なう場合は、大量排紙トレイの優先順位が最も高く、次いで、中量排紙トレイ、標準排紙トレイの順となっている。画像読取部１３０が読み取った画像データに基づいてコピー機能により印刷を行なう場合にも大量排紙トレイの優先順位が最も高く、次いで、中量排紙トレイ、標準排紙トレイの順となっている。一方、電話回線を通じて画像受信部１４０が受信した画像データに基づいてファクシミリ機能により印刷を行なう場合には、標準排紙トレイの優先順位が最も高く、次いで、中量排紙トレイ、大量排紙トレイの順となっている。
【００２９】
ここで、排紙台の最大積載量は、大量排紙トレイが最も多く、次いで、中量排紙トレイ、標準排紙トレイの順となっている。また、プリンタ機能およびコピー機能による印刷は、印刷枚数が比較的多いと想定され、ファクシミリ機能による印刷は、印刷枚数が比較的少ないと想定される。
【００３０】
すなわち、本実施形態では、印刷枚数が比較的多いと想定される印刷機能については、初期値として、最大積載量の多い排紙台の優先順位を高く設定し、印刷枚数が比較的少ないと想定される印刷機能については、初期値として最大積載量の少ない排紙台の優先順位を高く設定している。したがって、排紙に用いる排紙台を異ならせるとともに、印刷枚数が排紙台の最大積載量まで達することを防ぐことで、印刷枚数の多い印刷と、印刷枚数の少ない印刷とで印刷済の印刷用紙が混在することを防ぐことができる。
【００３１】
なお、この優先順位は、使用している排紙台の積載量が最大積載量に達し、他の排紙台に排紙を引き継ぐ際にも適用される。このため、排紙台の積載量が最大積載量に達した場合も、中量排紙トレイ３３０ｂがバッファの役割を果たし、印刷枚数の多い印刷と、印刷枚数の少ない印刷とで印刷済の印刷用紙が混在することを防ぐことができる。ただし、表1に示した初期設定は例示であって、排紙台の印刷機能毎の優先順位の初期設定は他の設定であってもよい。
【００３２】
給紙制御部１１３は、印刷条件に応じて、印刷に用いる印刷用紙を給紙する給紙機構を設定し、所定のタイミングで印刷用紙を給紙機構から搬送駆動部３５０に取り込む制御を行なう。
【００３３】
排紙制御部１１４は、印刷条件に応じて印刷済の印刷用紙を排紙する排紙台を設定する。特に、本実施形態では、いずれかの入力元から画像情報を入力した際に、特定の排紙台が指定されていない場合は、前記排紙台優先情報記憶部を参照して、前記画像情報の入力元について最も優先順位の高い排紙台を使用排紙台として設定する。そして、設定された排紙台から印刷用紙が排紙されるように、設定された排紙台を搬送制御部１１５に通知する。また、使用している排紙台に対応した排紙量センサが、その排紙台に積載された印刷用紙が所定量に達したことを検出すると、排紙台設定記憶部１１２を参照して、画像情報の入力元について、対応する排紙量センサが積載された印刷用紙が所定量に達したことを検出していない排紙台の中で最も優先順位の高い排紙台を連続して使用する排紙台として設定する。
【００３４】
搬送制御部１１５は、搬送ベルト３５２、その他の駆動機構を含んだ搬送駆動部３５０における用紙搬送を制御する。具体的には、搬送速度と搬送経路とを設定し、その設定にしたがった用紙搬送を行なうように搬送駆動部３５０に制御信号を出力する。搬送速度は印字品質、用紙種類等の印刷条件により定められ、搬送経路は、設定された給紙機構、設定された排紙台、両面印刷設定等により定められる。また、本実施形態では、使用排紙台として設定された排紙台に印刷済の印刷用紙を排紙する処理を行なう。
【００３５】
画像処理部１１６は、ＲＧＢ形式の印刷データをＣＭＹＫ形式に変換し、さらに、印刷実行部３１０が解釈可能な画像データに変換する処理等を行なう。画像データは、例えば、ドット単位のインクドロップ数を示すデータである。吐出処理部１１７は、画像データに基づいて印字ヘッド３１２におけるインク吐出処理を制御する。
【００３６】
図３は、印刷装置１０の給紙部３２０、排紙部３３０および印刷用紙搬送経路を示す図である。本図に示すように印刷装置１０は、給紙機構として備えられた給紙台３２０ａ、第1給紙トレイ３２０ｂ、第２給紙トレイ３２０ｃ、第３給紙トレイ３２０ｄ、第４給紙トレイ３２０ｅのいずれかから給紙された印刷用紙に対して印字ヘッド３１２で印刷を行なって、標準排紙トレイ３３０ａ、中量排紙トレイ３３０ｂ、大量排紙トレイ３３０ｃのいずれかの排紙台に排紙する。上述のように、標準排紙トレイ３３０ａは、フェイスダウンで排紙され、最大積載量の少ない排紙台であり、中量排紙トレイ３３０ｂは、フェイスアップで排紙され、最大積載量が中程度の排紙台であり、大量排紙トレイ３３０ｃは、フェイスアップで排紙され、最大積載量が多い排紙台である。
【００３７】
印刷装置１０は、印字機構として、用紙搬送方向に直交する方向に伸び、多数のノズルが形成された印字ヘッド３１２を備えている。印字ヘッド３１２はインク色毎に独立しており、それぞれの印字ヘッドから黒またはカラーインクを吐出してライン単位でカラー印刷を行なう。
【００３８】
いずれかの給紙機構から１枚ずつ給紙された印刷用紙は、搬送駆動部３５０を構成するローラ等の駆動機構によって筐体内の給紙系搬送路（図中の黒太線で示される経路）に沿って搬送され、レジスト部Ｒｇに導かれる。ここでレジスト部Ｒｇは、印刷用紙の先端の位置あわせと斜行修正を行なうために設けられており、１対のレジストローラを備えて構成される。給紙された印刷用紙はレジスト部Ｒｇで一時停止し、所定のタイミングで印字機構方向に搬送される。
【００３９】
印刷用紙は、印字ヘッド３１２の対向面に設けられた環状の搬送ベルト３５２によって印刷条件により定められる速度で搬送されながら、印字ヘッド３１２から吐出されたインクによりライン単位で画像形成される。
【００４０】
上面に印刷を施された印刷用紙は、大量排紙トレイ３３０ｃに排紙される場合は、切替機構３８２により大量排紙トレイ３３０ｃ方向に搬送され、そのまま印刷面を上にして排紙されて大量排紙トレイ３３０ｃに積載されていく。中量排紙トレイ３３０ｂに排紙される場合には、切替機構３８２によってさらに筐体内を搬送され、切替機構３８４により中量排紙トレイ３３０ｂ方向に搬送さる。そして、そのまま印刷面を上にして排紙されて中量排紙トレイ３３０ｂに積載されていく。標準排紙トレイ３３０ａから排紙される場合は、切替機構３８４とローラ等の駆動機構によってさらに筐体内を搬送される。そして、切替機構３８６により標準排紙トレイ３３０ａ方向に導かれて排紙され、標準排紙トレイ３３０ａに印刷面を下にして積載されていく。
【００４１】
それぞれの排紙台は、筐体から突出したトレイ形状をしており、ある程度の厚みを有している。また、それぞれの排紙台は傾斜しており、傾斜の下位置に形成された壁により、排紙された印刷用紙が、傾斜に沿って滑落する過程で自然に整えられて重なっていくようになっている。
【００４２】
標準排紙トレイ３３０ａ、中量排紙トレイ３３０ｂ、大量排紙トレイ３３０ｃとも印刷用紙の最大積載量が定められており、印刷用紙の積載量が最大積載量付近の所定量に達したことを検出する排紙量センサ３３２a、排紙量センサ３３２ｂ、排紙量センサ３３２ｃ、がそれぞれ設けられている。
【００４３】
印刷用紙の両面に印刷を行なう両面印刷の場合は、表面（最初に印刷される面を「表面」、次に印刷される面を「裏面」とする）印刷終了時にはいずれの排紙台にも導かれずに、切替機構３８６により、さらに筐体内を搬送される。そして、スイッチバック経路ＳＲに引き込まれ、スイッチバックを行ない、搬送路に対して表裏が反転する。表裏反転後に、ローラ等の駆動機構によって再度レジスト部Ｒｇに導かれ、一時停止する。その後、所定のタイミングで印字機構方向に搬送され、表面と同様の手順によって裏面の印刷が行なわれる。裏面の印刷が行なわれ、両面に画像が形成された印刷用紙は、印刷条件に含まれる排紙口の指定にしたがって、いずれかの排紙台に排紙され積載されていく。
【００４４】
印刷装置１０では、両面印刷時におけるスイッチバックを、標準排紙トレイ３３０ａ内に設けられた空間を利用して行なうようにしている。標準排紙トレイ３３０ａ内に設けられた空間は、スイッチバック時に印刷用紙が外部から取り出せないように覆われた構成となっている。これにより、利用者が誤ってスイッチバック動作中の印刷用紙を引き抜いてしまうことを防ぐことができる。また、標準排紙トレイ３３０ａは、本来印刷装置１０に備えられているものであり、標準排紙トレイ３３０ａ内の空間を利用してスイッチバックを行なうことにより、印刷装置１０内に、別途スイッチバック用の空間を設ける必要がなくなる。したがって、筐体のサイズが増大してしまうことを防ぐことができる。さらには、標準排紙トレイ３３０ａとスイッチバック経路とを共用しないため、スイッチバック処理と他の用紙の排紙とを並行して行なうことができる。
【００４５】
次に、印刷装置１０の基本的な印刷処理について図４のフローチャートを参照して説明する。上述のように、印刷装置１０は、ＰＣ２０から送られた印刷データに基づく印刷を行なうプリンタ機能に加えて、画像を読み取って複写を行なうコピー機能、電話回線を介して画像伝送を行なうファクシミリ機能を備えている。したがってそれぞれの機能に応じた印刷手順が行なわれる。
【００４６】
まず、印刷処理に先立って、初期設定が行なわれる（Ｓ１０１）。初期設定では、給紙機構毎の印刷用紙のサイズと用紙種類の設定等が行なわれる。また、画像情報の入力元毎の排紙台の優先順位の設定を行なうことができる。排紙台の優先順位の設定については後述する。
【００４７】
初期設定を終えた印刷装置１０は、ＰＣ２０から画像情報として印刷データを受信した場合（Ｓ１０２：Ｙｅｓ）には、画像処理部１１６が受信した印刷データを画像データに変換する処理を行なって（Ｓ１０３）、印刷実行部３１０で印刷処理が行なわれる（Ｓ１０８）。
【００４８】
画像受信部１４０が電話回線を介してファクシミリデータを受信した場合（Ｓ１０４：Ｙｅｓ）は、ファクシミリ画像信号を画像情報である画像データに変換する処理を行なって（Ｓ１０５）、印刷実行部３１０で印刷処理が行なわれる（Ｓ１０８）。
【００４９】
操作パネル部１５０を介してユーザから複写操作を受け付けた場合（Ｓ１０６：Ｙｅｓ）は、画像読取部１３０が画像読取処理を行なって（Ｓ１０７）、印刷実行部３１０で画像情報である画像データに基づく印刷処理が行なわれる（Ｓ１０８）。
【００５０】
次に、印刷装置１０で印刷を行なう場合の排紙制御について説明する。本実施形態では、ユーザが特定の排紙台を指定していない場合には、排紙台設定記憶部１１２に記憶された印刷機能毎の排紙台優先順位にしたがって使用する排紙台が設定される。
【００５１】
表１に示したように排紙台設定記憶部１１２に記憶された印刷機能毎の排紙台優先順位には初期値が設定されているが、この優先順位は、ユーザが変更することもできる。まず、簡単のために、ユーザが印刷機能毎の排紙台優先順位の初期値を変更しない場合の排紙制御について説明する。
【００５２】
ユーザは印刷装置１０で印刷を行なう場合は、印刷実行に先立ち、用紙サイズ、用紙種類、部数、排紙先等の印刷条件の設定を行なうことができる。ここでは、印刷条件として排紙先の設定に注目して説明する。
【００５３】
印刷条件の設定は、プリンタ機能を用いて印刷を行なう場合は、ＰＣ２０のプリンタドライバ部２１０で行ない、コピー機能を用いて印刷を行なう場合は、印刷装置１０の操作パネル部１５０および操作パネル制御部１１１で行なうことができる。ファクシミリ機能を用いて印刷を行なう場合は、基本的に印刷毎の印刷条件の設定は行なわない。ただし、受信したファクシミリデータを印刷装置１０内に格納しておき、格納されているファクシミリデータを指定して印刷を行なう場合には、コピー機能を用いて印刷を行なう場合と同様に印刷装置１０の操作パネル部１５０および操作パネル制御部１１１で印刷条件の設定を行なうことができる。
【００５４】
図５は、ＰＣ２０のプリンタドライバ部２１０で印刷条件の設定を行なう場合の印刷条件設定画面５００の一例を示している。本例の印刷条件設定画面５００では、印刷条件の設定が複数の項目に分けられており、仕上げに関するメニューページで排紙先に関する設定を行なうようになっている。排紙先に関する設定は、プルダウン形式の排紙先選択メニュー５１１で設定できるようになっており、さらに、連続排紙を行なうかどうかの設定を連続排紙選択メニュー５１２でできるようになっている。
【００５５】
ここで、プルダウン形式の排紙先選択メニュー５１１では、図６に示すように、印刷装置１０が備えている排紙台である「標準排紙トレイ」「中量排紙トレイ」「大量排紙トレイ」に加え、「オート」を選択できるようになっている。ユーザは、特定の排紙台を指定したい場合には、「標準排紙トレイ」「中量排紙トレイ」「大量排紙トレイ」のいずれかを選択し、排紙台の選択を印刷装置１０に委ねる場合には、「オート」を選択すればよい。なお、本メニューを表示する際、プリンタドライバ部２１０は、印刷装置１０と通信を行なって、使用可能な排紙台に関する情報を取得することができる。
【００５６】
また、ユーザは、選択メニュー５１２で連続排紙を行なうかどうかの設定を行えるようになっている。ここで、連続排紙は、使用している排紙台が満杯になった場合に、他の排紙台に排紙を引き継ぐ排紙方法である。すなわち、連続排紙を行なう設定であれば、使用している排紙台が満杯になると他の排紙台から排紙を行なうことで印刷を継続し、連続排紙を行なわない設定であれば、使用している排紙台が満杯になると排紙エラーとなって印刷処理を中断する。
【００５７】
ユーザは、使用している排紙台が満杯になっても、他の排紙台に排紙を行なうことで印刷を継続させたい場合は、連続排紙を設定し、使用している排紙台が満杯になった際に、印刷結果が複数の排紙台に分散することを避けたい場合は連続排紙を設定しないようにすることができる。
【００５８】
連続排紙を行なうかどうかの設定は、特定の排紙台が指定された場合と「オート」が選択された場合の両方に適用される。すなわち、連続排紙を行なう設定の際には、特定の排紙台が指定された場合であっても「オート」が選択された場合であっても、使用している排紙台が満杯になると、他の排紙台に排紙が引き継がれることになる。
【００５９】
図７は、コピー機能により印刷を行なう際に、印刷装置１０の操作パネル部１５０および操作パネル制御部１１１で印刷条件の設定を行なうときに操作パネル部１５０に表示される印刷条件設定画面１５０ａの一例を示している。本例では、コピー排紙先の選択肢としてボタン群１５１から「オート」「標準排紙トレイ」「中量排紙トレイ」「大量排紙トレイ」のいずれかを選択することができる。また、印刷条件設定画面１５０ａでもボタン群１５２から連続排紙を行なうかどうかの設定を行なうことができるようになっている。いずれも設定内容についてはＰＣ２０のプリンタドライバ部２１０で印刷条件を設定する場合と同様である。また、ファクシミリ機能を用いて印刷を行なう場合は、原則として印刷条件として「オート」が選択されているものとして扱う。
【００６０】
次に、画像情報を入力した場合の印刷装置１０の排紙制御について図８のフローチャートを参照して説明する。印刷装置１０は、画像情報が入力されると、排紙に用いる排紙台を設定する（Ｓ１０１）。図９は、排紙に用いる排紙台を設定する処理の詳細を説明するフローチャートである。本図に示すように、排紙台設定処理では、印刷条件として設定された排紙先で「オート」が選択されているかどうかを判断する（Ｓ１０１１）。
【００６１】
その結果、排紙先として「オート」が選択されていない場合（Ｓ１０１１：Ｎｏ）は、特定の排紙台が指定されていることになるため、ユーザの指示にしたがって指定された特定の排紙台を排紙に用いる排紙台として設定する（Ｓ１０１３）。すなわち、排紙台設定記憶部１１２の記憶内容にかかわらず、「標準排紙トレイ」が指定されている場合には、標準排紙トレイ３３０ａを排紙に用いる排紙台として設定し、「中量排紙トレイ」が指定されている場合には、中量排紙トレイ３３０ｂを排紙に用いる排紙台として設定し、「大量排紙トレイ」が指定されている場合には、大量排紙トレイ３３０ｃを排紙に用いる排紙台として設定する。
【００６２】
一方、排紙先として「オート」が選択されている場合（Ｓ１０１２）は、排紙制御部１１４が、排紙台設定記憶部１１２を参照して、画像情報の入力元、すなわち、印刷を行なう印刷機能について最も優先順位の高い排紙台を排紙に用いる排紙台として設定する（Ｓ１０１２）。例えば、表１に示したような優先順位が設定されているとすると、プリンタ機能およびコピー機能による印刷を行なう場合には、最も優先順位の高い大量排紙トレイ３３０ｃが排紙に用いる排紙台として設定され、ファクシミリ機能による印刷を行なう場合には、最も優先順位の高い標準排紙トレイ３３０ａが排紙に用いる排紙台として設定される。このように、本実施形態では印刷機能に応じて排紙に用いる排紙台が設定される。
【００６３】
排紙台が設定されると、入力した画像情報に基づいた印刷を開始し、設定された排紙台から排紙を行なう（図８：Ｓ１０２）。すなわち、ＰＣ２０から印刷データが入力された場合は、画像処理部１１６が印刷データを画像データに変換し、印刷実行部３１０で印刷が実行され、設定された排紙台から排紙が行なわれる。また、画像読取部１３０から画像データが入力された場合は、印刷実行部３１０で印刷が実行され、設定された排紙台から排紙が行なわれ、画像受信部１４０から画像データが入力された場合は、印刷実行部３１０で印刷が実行され、設定された排紙台から排紙が行なわれる。以上の印刷・排紙処理を印刷が終了するまで（Ｓ１０３：Ｙｅｓ）繰り返す。
【００６４】
印刷が終了する前（Ｓ１０３：Ｎｏ）に、排紙に用いている排紙台に対応した排紙量センサ３３２が、排紙台に積載された印刷用紙が所定量に達したことを検出した場合、すなわち、排紙台が満杯になった場合には（Ｓ１０４：Ｙｅｓ）、印刷条件の設定で、連続排紙が設定されているどうかを判断する（Ｓ１０５）。その結果、連続排紙が設定されていない場合（Ｓ１０５：Ｎｏ）は、排紙エラーとなり（Ｓ１０８）、印刷を中断する。
【００６５】
一方、連続排紙が設定されている場合（Ｓ１０５：Ｙｅｓ）は、排紙台の変更設定を行なう（Ｓ１０８）。図１０は、排紙に用いる排紙台を変更設定する処理の詳細を説明するフローチャートである。本図に示すように、排紙台変更設定処理では、まず、排紙可能な排紙台があるかどうかを判断する（Ｓ１０６１）。ここで、排紙可能な排紙台は、対応する排紙量センサ３３２が積載された印刷用紙が所定量に達したことを検出していない排紙台を意味する。すなわち、満杯になっていない排紙台である。その結果、排紙可能な排紙台がない場合（Ｓ１０６１：Ｎｏ）は、排紙台の変更は不可であると判定する（Ｓ１０６３）。
【００６６】
一方、排紙可能な排紙台がある場合（Ｓ１０６１：Ｙｅｓ）は、排紙制御部１１４が、排紙台設定記憶部１１２を参照して、変更可能な排紙台のうち、印刷を行なう印刷機能について最も優先順位の高い排紙台を排紙に用いる排紙台として設定する（Ｓ１０６２）。
【００６７】
例えば、排紙台設定記憶部１１２で、ある印刷機能について図１１（ａ）に示すように「大量排紙トレイ」「中量排紙トレイ」「標準排紙トレイ」の順で優先順位が設定されていたとする。排紙先選択で「オート」が選択されていた場合には、印刷開始時において、図１１（ｂ）に示すように、優先順位の最も高い「大量排紙トレイ」が排紙に用いる排紙台として設定される。この状態で大量排紙トレイ３３０ｂに対応した排紙量センサ３３２ｂが、大量排紙トレイ３３０ｂに積載された印刷用紙が所定量に達したことを検出すると、使用可能な排紙台である「中量排紙トレイ」「標準排紙トレイ」のうち、最も優先順位の高い「中量排紙トレイ」に変更設定される。
【００６８】
また、排紙先選択で、特定の排紙台である「標準排紙トレイ」が指定されていた場合には、印刷開始時において、図１１（ｃ）に示すように、指定された「標準排紙トレイ」が排紙に用いる排紙台として設定される。この状態で標準排紙トレイ３３０aに対応した排紙量センサ３３２ａが、標準排紙トレイ３３０ａに積載された印刷用紙が所定量に達したことを検出すると、使用可能な排紙台である「大量排紙トレイ」「中量排紙トレイ」のうち、最も優先順位の高い「大量排紙トレイ」に変更設定される。
【００６９】
図８のフローチャートに戻って、排紙台変更設定処理（Ｓ１０６）で、排紙台の変更が不可であると判定された場合（Ｓ１０７：Ｙｅｓ）は、排紙エラーとなり（Ｓ１０８）、印刷を中断する。排紙台変更設定処理（Ｓ１０６）で、排紙台の変更設定がなされた場合（Ｓ１０７：Ｎｏ）は、変更設定された排紙台を排紙に使用する排紙台として印刷を継続する（Ｓ１０２）。
【００７０】
以上、画像情報を入力した場合の印刷装置１０の排紙制御について説明した。上記の例では、排紙台設定記憶部１１２が記憶する入力元毎の排紙台の優先順位は、製品出荷時においてあらかじめ初期値が設定されていた。以下では、排紙台の優先順位の設定をユーザが変更する場合について説明する。
【００７１】
ユーザは、印刷装置１０の使用状況、例えば、機能毎の印刷枚数の傾向を応じて排紙台の優先順位を変更することができる。すなわち、表１に示した初期値は、プリンタ機能およびコピー機能による印刷が、印刷枚数が比較的多いと想定し、ファクシミリ機能による印刷が、印刷枚数が比較的少ないと想定した結果である。ユーザの使用状況がこの想定に当てはまらない場合等に機能毎の排紙台の優先順位を変更することが望ましい。
【００７２】
排紙台の優先順位の設定変更は、例えば、印刷処理に先立って行なう初期設定（Ｓ１０１）において行なうことができる。ユーザは、排紙台の優先順位の設定を変更する場合は、操作パネル部１５０のメニュー操作により、図１２に示すような排紙先設定画面１５０ｂを操作パネル部１５０に表示させる。本図に示すように、排紙先設定画面１５０ｂでは、印刷条件の設定で排紙先を「オート」に選択した場合に優先的に排紙に用いられる排紙台を「標準排紙トレイ」「大量排紙トレイ」「中量排紙トレイ」のいずれかから選択できるようになっている。この設定は、「プリンタ」「コピー」「ファクシミリ」の機能毎に独立して行えるようになっている。
【００７３】
例えば、図１３に示すように、プリンタ機能について、初期値として、排紙台設定記憶部１１２に「大量排紙トレイ」「中量排紙トレイ」「標準排紙トレイ」の順で優先順位が設定されている場合に、ユーザが排紙先設定画面１５０ｂで、プリンタ機能について「標準排紙トレイ」を選択したとする。すると、操作パネル制御部１１１は、「標準排紙トレイ」が最も優先順位が高くなるように排紙台設定記憶部１１２を書き換える。その他の排紙台については、書き換え前の順位が保たれるようにする。この結果、「標準排紙トレイ」「大量排紙トレイ」「中量排紙トレイ」の順に優先順位が変更されることになる。
【００７４】
ユーザの操作に基づいて排紙台設定記憶部１１２が書き換えられ、優先順位が変更された場合も、画像情報を入力した場合の印刷装置１０の排紙制御については、図８のフローチャートを参照して説明した上記の手順と同様に行なうことができる。
【００７５】
なお、図１２に示した排紙先設定画面１５０ｂでは、印刷機能毎に最も優先順位の高い排紙台を変更可能なようにしていたが、印刷機能毎に排紙台の優先順位自体を変更可能とするようにしてもよい。図１４は、印刷機能毎に排紙台の優先順位自体を変更可能な排紙先設定画面１５０ｃの一例を示している。本図に示すように、排紙先設定画面１５０ｃでは、印刷条件の設定で排紙先を「オート」に選択した場合に排紙に用いられる排紙台の優先順位を「標準排紙トレイ」「大量排紙トレイ」「中量排紙トレイ」に対して設定できるようになっている。この優先順位の設定は、「プリンタ」「コピー」「ファクシミリ」の機能毎に独立して行えるようになっている。
【００７６】
例えば、図１５に示すように、プリンタ機能について、初期値として、排紙台設定記憶部１１２に「大量排紙トレイ」「中量排紙トレイ」「標準排紙トレイ」の順で優先順位が設定されている場合に、ユーザが排紙先設定画面１５０ｃで、プリンタ機能について「標準排紙トレイ」「中量排紙トレイ」「大量排紙トレイ」の順で優先順位を選択したとする。すると、操作パネル制御部１１１は、優先順位が「標準排紙トレイ」「中量排紙トレイ」「大量排紙トレイ」の順になるように排紙台設定記憶部１１２を書き換えるこの結果、「標準排紙トレイ」「中量排紙トレイ」「大量排紙トレイ」の順に優先順位が変更されることになる。
【００７７】
ユーザの操作に基づいて排紙台設定記憶部１１２が書き換えられ、優先順位が変更された場合も、画像情報を入力した場合の印刷装置１０の排紙制御については、図８のフローチャートを参照して説明した上記の手順と同様に行なうことができる。
【００７８】
以上説明したように、本実施形態によれば、複数の異なる入力元から入力元に応じた形式の画像情報を入力し、入力された画像情報に基づいた印刷を行なう印刷装置において、入力元の異なる画像情報に基づいて印刷された印刷用紙を混在させたくないという要望に応えた印刷装置および印刷システムが提供される。
【図面の簡単な説明】
【００７９】
【図１】本発明に係る印刷装置を含む印刷システムの構成の一例を示すブロック図である。
【図２】本実施形態における印刷装置の機能構成を示すブロック図である。
【図３】印刷装置の給紙機構、排紙台および印刷用紙搬送経路を示す図である。
【図４】印刷装置の基本的な印刷処理について説明するフローチャートである。
【図５】ＰＣのプリンタドライバ部で印刷条件の設定を行なう場合の印刷条件設定画面の一例を示す図である。
【図６】プルダウン形式の排紙先選択メニューを示す図である。
【図７】印刷装置の操作パネル部および操作パネル制御部で印刷条件の設定を行なう場合に操作パネルに表示される印刷条件設定画面の一例を示す図である。
【図８】画像情報を入力した場合の印刷装置の排紙制御を説明するフローチャートである。
【図９】排紙に用いる排紙台を設定する処理の詳細を説明するフローチャートである。
【図１０】排紙に用いる排紙台を変更設定する処理の詳細を説明するフローチャートである。
【図１１】排紙に用いる排紙台の変更設定例を示す図である。
【図１２】排紙台の優先順位の設定を変更するための排紙先設定画面の一例を示す図である。
【図１３】排紙台の優先順位の変更設定例を示す図である。
【図１４】排紙台の優先順位の設定を変更するための排紙先設定画面の一例を示す図である。
【図１５】排紙台の優先順位の変更設定例を示す図である。
【符号の説明】
【００８０】
１０…印刷装置、２０…ＰＣ、１１０…制御部、１１１…操作パネル制御部、１１２…排紙台設定記憶部、１１３…給紙制御部、１１４…排紙制御部、１１５…搬送制御部、１１６…画像処理部、１１７…吐出処理部、１２０…通信処理部、１３０…画像読取部、１４０…画像受信部、１５０…操作パネル部、２１０…プリンタドライバ部、３１０…印刷実行部、３１２…印字ヘッド、３２０…給紙機構、３２０…給紙部、３３０…排紙部、３５０…搬送駆動部、３５２…搬送ベルト、３８２…切替機構、３８４…切替機構、３８６…切替機構
【図１】
2009290551.tif 000004
【図２】
2009290551.tif 000005
【図３】
2009290551.tif 000006
【図４】
2009290551.tif 000007
【図５】
2009290551.tif 000008
【図６】
2009290551.tif 000009
【図７】
2009290551.tif 000010
【図８】
2009290551.tif 000011
【図９】
2009290551.tif 000012
【図１０】
2009290551.tif 000013
【図１１】
2009290551.tif 000014
【図１２】
2009290551.tif 000015
【図１３】
2009290551.tif 000016
【図１４】
2009290551.tif 000017
【図１５】
2009290551.tif 000018